(57)【要約】【課題】媒体の装填処理や精査処理における係員の作業負荷を軽減させる。【解決手段】媒体カセット２に収納された媒体２０の端部に当接する媒体さばき板２６、および媒体毎の端部を検知する計数センサ２７を備えたさばき計数部材２５を設けた。そのさばき計数部材２５を媒体２０が積層された方向に移動させ、それに伴い媒体挟持手段（２２、２３）で一の端部が挟持された媒体の他の端部を媒体さばき板２６で順次さばくとともに計数センサ２７で媒体２０の枚数を計数するようにした。【選択図】        図１
2007257064.tif 000002
【特許請求の範囲】
【請求項１】
証書等の媒体を積層させて収納する媒体カセットを備えた媒体処理装置において、
媒体カセットに収納された媒体の端部に当接する媒体さばき板、および媒体毎の端部を検知する計数センサを備えたさばき計数部材と、
前記さばき計数部材を媒体が積層された方向に移動させる移動手段と、
媒体カセットに収納された媒体の一の端部を挟持する媒体挟持手段とを設け、
前記さばき計数部材を移動させ、それに伴い前記媒体さばき板で媒体の他の端部を順次さばくとともに前記計数センサで媒体の枚数を計数するようにしたことを特徴とする媒体処理装置。
【請求項２】
請求項１の媒体処理装置において、
前記他の端部を、媒体カセットの繰出し側の端部とし、前記一の端部を、該他の端部の反対側の端部としたことを特徴とする媒体処理装置。
【請求項３】
請求項１の媒体処理装置において、
前記一の端部を、媒体カセットの繰出し側の端部とし、前記他の端部を、該一の端部の反対側の端部としたことを特徴とする媒体処理装置。
【請求項４】
請求項１、請求項２または請求項３の媒体処理装置において、
前記媒体さばき板を前記さばき計数部材から突出する長さを可変とする摺動手段を設け、
前記摺動手段が、前記突出する長さを媒体カセットに収納された媒体の大きさに合わせて変化させるようにしたことを特徴とする媒体処理装置。
【請求項５】
請求項４の媒体処理装置において、
前記さばき計数部材を、媒体カセットから繰出した媒体を搬送する媒体キャリアに設けたことを特徴とする媒体処理装置。
【請求項６】
請求項５の媒体処理装置において、
媒体カセットから媒体を繰出すとき、前記媒体さばき板を前記媒体カセットに対向するフレームに設けた嵌合孔に嵌合させて前記媒体キャリアを固定するようにしたことを特徴とする媒体処理装置。
【請求項７】
請求項１から請求項５または請求項６の媒体処理装置において、
前記計数センサを、光学式センサとし、該計数センサで媒体カセットに収納された媒体の枚数を計数するとともに該媒体カセットに設けられたカセット収納部識別情報を読み取るようにしたことを特徴とする媒体処理装置。
【発明の詳細な説明】
【技術分野】
【０００１】
本発明は、銀行等の金融機関で通帳や証書等の媒体を取扱う媒体処理装置に関し、特に媒体カセットに収納された媒体をさばくとともに計数する手段を備えた媒体処理装置に関する。
【背景技術】
【０００２】
銀行等の金融機関では、顧客への通帳や各種証書といった媒体を発行するための媒体処理装置を備えている。このような従来の媒体体処理装置は、通帳や証書等の媒体を予め収納する媒体カセットを備え、その媒体カセットから媒体を1枚または１冊ずつ繰出して自動発行処理等を行うようにしている（例えば、特許文献１参照）。
また、媒体を媒体カセットに装填するときや精査処理において媒体カセットに収納された媒体を取出すとき、係員は手作業によりその媒体の枚数等を数えるようにしていた。特に、媒体を装填するときは媒体の分離および繰出し動作を円滑に行うようにさせるため、係員は媒体カセットに収納する媒体をさばいた後に装填するようにしていた。
【特許文献１】特開平１０−２９７３３号公報（段落「０００７」〜段落「００１４」、図１、図２）
【発明の開示】
【発明が解決しようとする課題】
【０００３】
しかしながら、上述した従来の技術においては、媒体を媒体カセットに装填するときや精査処理において媒体カセットに収納された媒体を取出すとき、係員は手作業により媒体を計数する必要があり、係員に作業負荷がかかるという問題がある。
また、媒体を装填するとき、係員は手作業により媒体をさばく必要があり、係員に作業負荷がかかるとともに係員によるさばきが不十分な場合、媒体処理装置が行なう分離および繰出しの動作で異常が発生してしまうという問題がある。
【０００４】
さらに、通帳や証書等の媒体は重要なものであるが、その媒体の管理は係員に任せられていたため安全性が確保できていないという問題がある。
本発明は、このような問題を解決することを課題とする。
【課題を解決するための手段】
【０００５】
そのため、本発明は、証書等の媒体を積層させて収納する媒体カセットを備えた媒体処理装置において、媒体カセットに収納された媒体の端部に当接する媒体さばき板、および媒体毎の端部を検知する計数センサを備えたさばき計数部材と、前記さばき計数部材を媒体が積層された方向に移動させる移動手段と、媒体カセットに収納された媒体の一の端部を挟持する媒体挟持手段とを設け、前記さばき計数部材を移動させ、それに伴い前記媒体さばき板で媒体の他の端部を順次さばくとともに前記計数センサで媒体の枚数を計数するようにしたことを特徴とする。
【発明の効果】
【０００６】
このようにした本発明は、媒体を媒体カセットに装填する装填処理や精査処理における係員の作業負荷を軽減することができるという効果が得られる。
また、媒体処理装置が行なう分離および繰出しの動作での異常を防止することができるという効果が得られる。
さらに、安全性を確保することができるという効果が得られる。
【発明を実施するための最良の形態】
【０００７】
以下、図面を参照して本発明による媒体処理装置の実施例を説明する。
【実施例】
【０００８】
まず、第１の実施例について説明する。
図２は第１の実施例における媒体処理装置の概略構成を示すブロック図である。
図２において、１は媒体取扱装置であり、この媒体取扱装置１は媒体カセット２、カセット収納部３、ホッパ部４、媒体搬送路５、媒体処理部６、スタック部７、リジェクト部８、操作表示部１０、記憶部１１、媒体計数部２０１、媒体さばき部２０２およびこれら各部を制御する制御部１２等を備えており、通信回線１３を介してホストサーバ（上位装置）１４に接続されている。
【０００９】
ここで、カセット収納部３はホッパ部４に沿ってその両側に複数段設けられており、各カセット収納部３には番号が付与され、その番号により制御部１２が媒体カセット２の装着の有無等を管理するものとなっている。
媒体カセット２内の媒体は図示しないローラ等による繰出し手段により１枚ずつ繰出され、繰出された媒体はホッパ部４に取り込まれて媒体搬送路５へ移送されるものとなっている。
【００１０】
媒体計数部２０１はセンサ等の媒体枚数検出手段により媒体カセット２に積層されて収納された媒体の枚数を計数するものであり、媒体さばき部２０２は媒体カセット２に収納された媒体に媒体さばき板を当接させてさばくものである。
媒体処理部６は媒体搬送部５に沿って配置された磁気ヘッド、頁捲り手段、印字手段、頁検知手段、印字済行検知手段等を有し、前記ホッパ部４から媒体搬送路５に送り込まれた媒体は媒体処理部６に搬送され、磁気ストライプに対する磁気データの書込みおよび読取り、印字等が行なわれすべての処理が終わった後、スタック部７に搬送されて発行される。
【００１１】
上記処理中にエラーが発生し、制御部１２で媒体自体に問題があると判断された場合、その媒体はリジェクト部８に搬送されて回収、保管される。
操作表示部１０は、液晶ディスプレイ等の表示部と、この表示部上に配置された係員操作用のタッチパネルにより構成されている。
記憶部１１は各カセット収納部３に装着された媒体カセット２内の媒体の残り枚数や装填不良情報等の媒体に関する情報を記憶する部位であり、この記憶部１１には媒体装填時等に操作表示部１０に表示する画面の画面情報、および制御プログラム等も格納されている。
【００１２】
制御部１２は、記憶部１１に記憶された制御プログラムにしたがってホッパ部４、媒体搬送路５、媒体処理部６、スタック部７、リジェクト部８、操作表示部１０、媒体計数部２０１および媒体さばき部２０２等を制御し、媒体を取扱う処理を実行するとともに、媒体計数部２０１からの電気信号に基づいて各媒体カセット２内の媒体の枚数の計数を行なって媒体を管理する各種の手段としての機能を有する。
【００１３】
また、制御部１２は、外部インターフェースを有し、媒体の印刷や媒体発行の際、必要に応じて外部インターフェースにより通信回線１３を介してホストサーバ１４と接続し、ホストサーバ１４とデータの授受を行なって媒体処理部６に媒体への印字や磁気記録を実行させる。
ホストサーバ１４は、各顧客の氏名、電話番号、支店番号、口座種別、口座番号等の顧客情報や媒体処理装置１に収納した媒体の枚数等を記憶した図示しない記憶部（データベース）を管理する装置である。
【００１４】
図１は第１の実施例における媒体カセットの側面図である。
図１において、２１は媒体カセットフレームであり、媒体カセット２の側面および底面を形成するものである。
２２は媒体押さえであり、ホッパ部４側の媒体カセット２の側面を形成する媒体カセットフレーム２１の上部に備えられた板状のものである。
【００１５】
２３は媒体背押し板Ａ、２４は媒体背押し板Ｂであり、媒体カセット２の底面を形成するとともに図示しない昇降機構により上下動可能に構成されたものである。この媒体背押し板Ａ２３および媒体背押し板Ｂ２４を上昇させて媒体背押し板Ａ２３および媒体背押し板Ｂ２４上に収納された媒体２０を媒体背押し板Ａ２３と媒体押さえ２２で挟持する。すなわち、この媒体背押し板Ａ２３と媒体押さえ２２は媒体２０を挟持する媒体挟持手段である。
【００１６】
なお、この媒体背押し板Ａ２３および媒体背押し板Ｂ２４は図示しない昇降機構により独立して上下動可能に構成されたものとする。
２５はさばき計数部材であり、媒体カセット２の媒体押さえ２２と反対側に配置され、媒体さばき部２０２の制御で図示しない昇降機構の移動手段により上下動可能に構成されたものである。
【００１７】
２６は媒体さばき板であり、さばき計数部材２５に備えられ、媒体押さえ２２側に突出した板状のものである。この媒体さばき板２６は媒体背押し板Ａ２３と媒体押さえ２２で挟持された媒体２０に当接して媒体２０をさばくものである。
また、媒体さばき板２６は媒体さばき部２０２の制御で図示しないステッピングモータやギア等の摺動機構（摺動手段）によりさばき計数部材２５から突出した突出量を変えることができるものとする。
【００１８】
なお、媒体さばき板２６の突出量は媒体２０のサイズに合わせて媒体２０に当接するように予め決められているものとする。
２７は計数センサであり、さばき計数部材２５における媒体さばき板２６の上方に配置され、光学式のセンサ等で構成されたものである。この計数センサ２７は図示しない発光部と受光部を有し、発光部から媒体２０へ発光し、その反射光を受光部で受光して媒体２０の枚数を計数するものである。
【００１９】
この媒体さばき板２６および計数センサ２７を備えたさばき計数部材２５を上下動させ、媒体さばき板２６を媒体背押し板Ａ２３と媒体押さえ２２で挟持された媒体２０に当接させて媒体２０をさばくとともに計数センサ２７で媒体２０の枚数の計数を行なう。なお、動作の詳細は後述する。
上述した構成の作用について説明する。
【００２０】
なお、以下に説明する各部の動作は、図示しないメモリや磁気ディスク等の記憶手段に格納されたプログラム（ソフトウェア）に基づいて図示しない中央処理装置等の制御手段により制御される。
図３は第１の実施例における媒体補充処理を示すフローチャートであり、Ｓで表すステップにしたがって説明する。
【００２１】
Ｓ１ａ：媒体取扱装置１の制御部１２は記憶部１１に記憶された各カセット収納部３における媒体カセット２内の媒体枚数に基づいて、残量が一定数以下になったニアエンドの媒体２０があるか否か、つまり媒体２０がニアエンドになったか否かを監視しており、媒体２０がニアエンドになった場合、そのニアエンドの媒体２０の補充が必要である旨のメッセージを入れた画面を操作表示部１０に表示して係員に媒体２０の補充を促す。
【００２２】
その画面を確認した係員はカセット収納部３から媒体カセット２を引き出し、その引き出した媒体カセット２内に媒体２０を揃えてニアエンドが検知された媒体カセット２に装填した後、媒体カセット２を再びカセット収納部３の押し戻すものとする。
Ｓ２ａ：各媒体カセット２の引き出しと押し込みは、各カセット収納部３に設けられている図示しないセンサにより検知され、そのセンサの出力により制御部１２は媒体カセット２の挿抜を認識し、媒体カセット２の計数動作を開始する指示をカセット収納部３、媒体計数部２０１および媒体さばき部２０２へ送信する。
【００２３】
なお、媒体カセット２に装填する媒体の枚数は予め決められているものとするが、装填する枚数を操作表示部１０で係員による入力を受け付けるようにしてもよい。
Ｓ３ａ：このようにして計数動作を開始する指示を受信したカセット収納部３、媒体計数部２０１および媒体さばき部２０２は媒体カセット２の媒体２０をさばく動作および計数する動作を行う。なお、本動作は媒体カセット２が複数装着されている場合はすべての媒体カセット２について行う。
【００２４】
この媒体カセット２の媒体２０をさばく動作および計数する動作を図４にしたがって説明する。
カセット収納部３は図４（ａ）に示すように媒体背押し板Ａ２３および媒体背押し板Ｂ２４を図示しない昇降機構により上昇させて媒体背押し板Ａ２３および媒体背押し板Ｂ２４上に載置された媒体２０を媒体背押し板Ａ２３と媒体押さえ２２で挟持する。なお、昇降機構は、媒体背押し板Ａ２３に載置された媒体２０が媒体押さえ２２に当接すると図示しないトルクリミッタ機構やクラッチ機構等により上昇動作が抑制されるように構成されているものとする。また、さばき計数部材２５は媒体２０の上方に配置されているものとする。
【００２５】
媒体２０を媒体背押し板Ａ２３と媒体押さえ２２で挟持するとカセット収納部３は図４（ｂ）に示すように媒体背押し板Ｂ２４を図示しない昇降機構により下降させて媒体２０の媒体背押し板Ｂ２４側の端部を湾曲させ、その端部に段差を形成させる。
媒体２０の端部に段差を形成させると媒体さばき部２０２は図４（ｃ）に示すようにさばき計数部材２５を図示しない昇降機構により下降させる。さばき計数部材２５に備えられた媒体さばき板２６は段差が形成された媒体２０の端部に当接し、積層された媒体２０間に空間を形成させることにより媒体２０のさばき動作を行う。
【００２６】
また、媒体さばき板２６でさばかれた媒体２０の端部を計数センサ２７で検知し、媒体計数部２０１は媒体２０の枚数を計数する。
Ｓ４ａ：この媒体２０をさばく動作および計数する動作をすべての媒体カセット２で行う。
Ｓ５ａ：媒体２０をさばく動作および計数する動作をすべて終了すると制御部１２はホストサーバ１４から受信したホストサーバ１４で管理されている媒体２０の枚数とＳ３ａで計数された媒体２０の枚数を比較する。
【００２７】
Ｓ６ａ：Ｓ５ａにおける比較の結果、一致しないと判定されると処理をＳ７ａへ移行し、一致していると判定されると処理をＳ８ａへ移行する。
Ｓ７ａ：Ｓ６ａにおいて一致しないと判定されると処理をＳ３ａへ移行させ、再度、媒体２０をさばく動作および計数する動作を行う。なお、このとき、図示しない機構により媒体さばき板２６の突出量を変化させるようにしてもよい。また、媒体２０をさばく動作および計数する動作を行う回数が予め記憶部１１に記憶した所定の回数を超えた場合、異常終了とし、係員の介入を待機するものとする。
【００２８】
Ｓ８ａ：Ｓ６ａにおいて一致すると判定されると制御部１２は図５に示す媒体計数結果画面３０を操作表示部１０に表示する。ここで、媒体計数結果画面３０は「補充後の証書収納枚数です  よろしければ、登録キーを押下してください」等の文言、定期証書が３枚収納されていた１番の番号が付与されたカセット収納部３に新たな定期証書が５０枚補充された結果、５３枚の定期証書が収納されていることを示す「定期証書  Ｎｏ．１  前残  ３  補充  ５０枚  収納枚数  ５３枚」の文言、同様に「定期証書Ａ  Ｎｏ．２  前残  １８  補充  ２０枚  収納枚数  ３８枚」、「期日指定  Ｎｏ．３  前残  ３７  補充  ０枚  収納枚数  ３７枚」、「国債  Ｎｏ．４  前残  ２０  補充  ２０枚  収納枚数  ４０枚」の文言や図柄、取消キーおよび登録キー等で構成されたものである。
【００２９】
係員はこの媒体計数結果画面３０の表示内容を確認し、正しく媒体２０が媒体カセット２に補充されたことが確認できると登録キーを押下し、正しく媒体２０が媒体カセット２に補充されたことが確認できないとき取消キーを押下するものとする。
Ｓ９ａ：操作表示部１０が登録キーの押下を検知すると処理をＳ１０ａへ移行し、一方、取消キーの押下を検知すると媒体２０の再補充等の係員の介入を待つ。
【００３０】
なお、装填する枚数を操作表示部１０で係員による入力を受け付けるようにした場合、制御部１２が入力された装填枚数と計数した媒体２０の枚数が一致しないと判定したとき、図６に示す媒体計数不一致画面３１を操作表示部１０に表示するようにする。
この媒体計数不一致画面３１は「証書枚数の計数不一致が発生しました」等の文言、「定期証書  Ｎｏ．１  前残  ３  補充  ５０枚  計数結果  ５４枚  〜１枚余分に収納されています〜  証書カセットＮｏ．１を引き出して確認してください  （確認後は再計数を自動的に行ないます）」の文言、ヘルプキーおよび確認キー等で構成されたものである。
【００３１】
この媒体計数不一致画面３１を確認した係員は１番の番号が付与されたカセット収納部３を確認するものとする。
Ｓ１０ａ：登録キーの押下を検知すると制御部１２は各媒体カセット２に収納された媒体の枚数を示す格納媒体枚数をホストサーバ１４へ送信する。ホストサーバ１４は各媒体カセット２に収納された媒体２０を発行等する毎にその格納媒体枚数を更新するものとする。なお、この格納媒体枚数はホストサーバ１４でなく媒体処理装置１の記憶部１１に記憶させ管理するようにしてもよい。
【００３２】
このようにして媒体補充処理を行う。
なお、上述した媒体補充処理の他に、指定時刻になると媒体カセット２に収納された媒体２０をさばく動作および計数する自動計数処理を行なうようにしてもよい。また、この自動計数処理は指定時刻以外であっても動作するようにしてもよい。例えば、媒体カセット２の引き外しや再挿入を検知したとき、また、媒体カセット２を引き外さなくても媒体に触れたことが検知できたとき等である。
【００３３】
以上説明したように、第１の実施例では、媒体を媒体カセットに装填するときや精査処理において媒体カセットに収納された媒体を取出すとき、媒体カセットに収納された媒体をセンサで計数するようにしたため、係員の作業負荷を軽減することができるという効果が得られる。
また、媒体カセットに装填された媒体を充分さばくようにしたため、係員の作業負荷を軽減するとともに、媒体処理装置が行なう分離および繰出しの動作での異常を防止することができるという効果が得られる。
【００３４】
さらに、計数した媒体の枚数は記憶部に記憶して管理するようにしたため、安全性を確保することができるという効果が得られる。
また、媒体の補充枚数を係員に入力させた後、媒体の計数を行なうようにしたため、媒体の窃取を防止することができるという効果が得られる。
次に、第２の実施例を説明する。
【００３５】
図７は第２の実施例における媒体処理装置の概略構成を示すブロックである。
第２の実施例の構成は複数の媒体カセット２に対してひとつの媒体計数部２０１および媒体さばき部２０２を備えたことが、ひとつの媒体カセット２に対して一の媒体計数部２０１および媒体さばき部２０２を備えた第１の実施例の構成と異なり、その異なる部分を以下に説明する。
【００３６】
なお、上述した第１の実施例と同様の部分は、同一の符号を付してその説明を省略する。
図７において、カセット収納部３はホッパ部４を挟んで両側に２個ずつ配置されたものとする。
４１はさばき計数部材搬送路であり、複数段あるカセット収納部３に沿ってホッパ部４と反対側に配置され、さばき計数部材４２を図示しない昇降機構により上下に搬送するものである。
【００３７】
さばき計数部材４２は媒体さばき板２６および計数センサ２７を備えたものであり、さばき計数部材搬送路４１を上下動可能に構成されたものである。
媒体さばき板２６および計数センサ２７を備えたさばき計数部材４２を上下動させ、媒体さばき板２６を媒体背押し板Ａ２３と媒体押さえ２２で挟持された媒体２０に当接させて媒体２０をさばくとともに計数センサ２７で媒体２０の枚数の計数を行なう。
【００３８】
なお、媒体さばき板２６は媒体カセット２の収納された媒体２０に当接するようにさばき計数部材４２から突出したものであり、媒体カセット２のさばき計数部材搬送路４１側の側面には媒体さばき板２６を突出させ、また、上下動する媒体さばき板２６を通過させるための開口部が設けられている。
４３はカセット収納部識別情報としてのカセット収納部識別番号であり、カセット収納部３を識別するためのものである。このカセット収納部識別番号４３はそれぞれの媒体カセット２の底面を形成する部材のさばき計数部材搬送路４１側の側面に設けられたバーコード等の識別符号である。
【００３９】
例えば、図中ホッパ部４の左上段のカセット収納部３を１番、左下段のカセット収納部３を２番、右上段のカセット収納部３を３番、右下段のカセット収納部３を４番とする。
なお、本実施例では、計数センサ２７でカセット収納部識別番号４３を読取るものとするが、計数センサ２７と別にカセット収納部識別番号４３を読取る専用のセンサを設けるようにしてもよい。
【００４０】
上述した構成の作用について説明する。
図８の第２の実施例における媒体補充処理を示すフローチャートのＳで表すステップにしたがって説明する。
なお、本実施例ではふたつのさばき計数部材搬送路４１が設けられているが、ひとつのさばき計数部材搬送路４１で以下の説明を行う。
【００４１】
まず、係員により媒体の補充が行われ、制御部１２が媒体カセット２の押し込みを認識し、媒体カセット２の計数動作を開始する指示を媒体計数部２０１および媒体さばき部２０２へ送信する処理は図３のＳ１ａおよびＳ２ａと同様である。
Ｓ１ｂ：このようにして計数動作を開始する指示を受信した媒体さばき部２０２はさばき計数部材４２を上下動可能にするため媒体カセット２の収納された媒体２０に当接しないようにさばき板２６の突出量を減らす動作を行う。
【００４２】
Ｓ２ｂ：制御部１２は図示しないセンサによりさばき計数部材４２がさばき計数部材搬送路４１の上端に停止しているか否かを判定する。上端に停止していると判定されると処理をＳ４ｂへ移行し、上端に停止していないと判定されると処理をＳ３ｂへ移行する。
Ｓ３ｂ：上端に停止していないと判定されると媒体さばき部２０２はさばき計数部材４２をさばき計数部材搬送路４１の上端まで上昇させる。
【００４３】
Ｓ４ｂ：媒体さばき部２０２はさばき計数部材４２をさばき計数部材搬送路４１の上端から下降（往移動）させる。
Ｓ５ｂ：このとき、計数センサ２７ですべてのカセット収納部識別番号４３を読取る。
Ｓ６ｂ：制御部１２は計数センサ２７ですべてのカセット収納部識別番号４３を読取ることができたか否かを判定する。すべてのカセット収納部識別番号４３を読取ることができたと判定されると処理をＳ７ｂへ移行し、カセット収納部識別番号４３を読取ることができなかったと判定されると処理をＳ８ｂへ移行する。
【００４４】
Ｓ７ｂ：すべてのカセット収納部識別番号４３を読取ることができたと判定されると媒体さばき部２０２はさばき計数部材４２をさばき計数部材搬送路４１の上端まで上昇（復移動）させて処理をＳ１０ｂへ移行する。
Ｓ８ｂ：一方、カセット収納部識別番号４３を読取ることができなかったと判定されると媒体さばき部２０２はさばき計数部材４２をさばき計数部材搬送路４１の上端まで上昇（復移動）させる。
【００４５】
Ｓ９ｂ：このとき、再度、計数センサ２７ですべてのカセット収納部識別番号４３を読取るようにする。
Ｓ１０ｂ：制御部１２は読取ったすべてのカセット収納部識別番号４３をホストサーバ１４へ送信する。ホストサーバ１４は受信したすべてのカセット収納部識別番号４３を確認し、媒体の枚数を計数し、その枚数を登録することの可否、すなわち、媒体の計数動作の可否を媒体処理装置１へ送信する。ここで、媒体の計数動作を不可とするのは媒体のさばき動作を極力少なくし、媒体の損傷を防止するためである。
【００４６】
Ｓ１１ｂ：媒体処理装置１の制御部１２は受信した登録の可否が否である場合、係員の介入を待機し、一方、可である場合、処理をＳ１２ｂへ移行する。
Ｓ１２ｂ：登録が可能であることを受信するとカセット収納部３、媒体計数部２０１および媒体さばき部２０２は媒体カセット２の媒体２０をさばく動作および計数する動作を行う。なお、本動作は媒体カセット２が複数装着されている場合はすべての媒体カセット２について行う。
【００４７】
カセット収納部３は媒体背押し板Ａ２３および媒体背押し板Ｂ２４を図示しない昇降機構により上昇させて媒体背押し板Ａ２３および媒体背押し板Ｂ２４上に載置された媒体２０を媒体背押し板Ａ２３と媒体押さえ２２で挟持する。なお、昇降機構は、媒体背押し板Ａ２３に載置された媒体２０が媒体押さえ２２に当接すると図示しないトルクリミッタ機構やクラッチ機構等により上昇動作が抑制されるように構成されているものとする。
【００４８】
Ｓ１３ｂ：媒体２０を媒体背押し板Ａ２３と媒体押さえ２２で挟持するとカセット収納部３は媒体背押し板Ｂ２４を図示しない昇降機構により下降させて媒体２０の媒体背押し板Ｂ２４側の端部を湾曲させ、その端部に段差を形成させる。
Ｓ１４ｂ：媒体２０の端部に段差を形成させると媒体さばき部２０２は図９に示すように媒体さばき板２６を媒体２０に当接するように（所定量）突出させる。
【００４９】
Ｓ１５ｂ：媒体さばき板２６を突出させるとさばき計数部材４２を図示しない昇降機構により下降（往移動）させる。さばき計数部材４２に備えられた媒体さばき板２６は段差が形成された媒体２０の端部に当接し、積層された媒体２０間に空間を形成させることにより媒体２０のさばき動作を行う。
Ｓ１６ｂ：また、媒体さばき板２６でさばかれた媒体２０の端部を計数センサ２７で検知し、媒体計数部２０１は媒体２０の枚数を計数する。
【００５０】
この媒体２０をさばく動作および計数する動作をすべての媒体カセット２で行う。
Ｓ１７ｂ：媒体２０をさばく動作および計数する動作を行うと制御部１２は図５に示す媒体計数結果画面３０を操作表示部１０に表示する。
係員はこの媒体計数結果画面３０の表示内容を確認し、正しく媒体２０が媒体カセット２に補充されたことが確認できると登録キーを押下し、正しく媒体２０が媒体カセット２に補充されたことが確認できないとき取消キーを押下するものとする。
【００５１】
Ｓ１８ｂ：操作表示部１０が登録キーの押下を検知すると処理をＳ１９ｂへ移行し、一方、取消キーの押下を検知すると媒体２０の再補充等の係員の介入を待つ。
Ｓ１９ｂ：登録キーの押下を検知すると制御部１２は各媒体カセット２に収納された媒体の枚数を示す格納媒体枚数をホストサーバ１４へ送信する。
Ｓ２０ｂ：ホストサーバ１４は各媒体カセット２に収納された媒体２０を発行等する毎にその格納媒体枚数を更新するものとする。なお、この格納媒体枚数はホストサーバ１４でなく媒体処理装置１の記憶部１１に記憶させ管理するようにしてもよい。
【００５２】
このようにして媒体補充処理を行う。
なお、上述した媒体補充処理の他に、指定時刻になると媒体カセット２に収納された媒体２０をさばく動作および計数する自動計数処理を行なうようにしてもよいのは第１の実施例と同様である。
以上説明したように、第２の実施例では、第１の実施例の効果に加え、複数の媒体カセットに対してひとつの媒体計数部および媒体さばき部を備えるようにしたため、装置の部品点数やコストを低減させることができるという効果が得られる。
次に、第３の実施例を説明する。
【００５３】
図１０は第３の実施例における媒体処理装置の概略構成を示すブロックである。
第３の実施例の構成と第１の実施例の構成と異なる部分を以下に説明する。
なお、上述した第１の実施例と同様の部分は、同一の符号を付してその説明を省略する。
図１０において、カセット収納部３はホッパ部４を挟んで両側に２個ずつ配置されたものとするが本実施例では図中左側に２個配置されたものとして説明する。
【００５４】
５１は媒体キャリアであり、特開２００１−２８３２８７号公報に記載されているように媒体カセット２から繰出された媒体を媒体搬送路５へ移送するためのものである。この媒体キャリア５１は媒体さばき板２６および計数センサ２７を備えるとともに、図示しない昇降機構によりホッパ部４を上下動可能に構成され、媒体カセット２から繰出された媒体を媒体搬送路５へ移送するものである。
【００５５】
なお、媒体さばき板２６は媒体カセット２の収納された媒体２０に当接するように媒体キャリア５１から突出したものであり、媒体カセット２のホッパ部４側の側面には媒体さばき板２６を突出させるための開口部が設けられている。
４３はカセット収納部識別情報としてのカセット収納部識別番号であり、カセット収納部３を識別するためのものである。このカセット収納部識別番号４３はそれぞれの媒体カセット２の底面を形成する部材のホッパ部４側の側面に設けられたバーコード等の識別符号である。
【００５６】
例えば、図中ホッパ部４の左上段のカセット収納部３を１番、左下段のカセット収納部３を２番、右上段のカセット収納部３を３番、右下段のカセット収納部３を４番とする。
なお、本実施例では、計数センサ２７でカセット収納部識別番号４３を読取るものとするが、計数センサ２７と別にカセット収納部識別番号４３を読取る専用のセンサを設けるようにしてもよい。
【００５７】
図１１は第３の実施例における媒体カセットの側面図、図１２は第３の実施例における媒体カセットの上面図、図１３は第３の実施例における媒体キャリアの上面図である。
図１１、図１２および図１３において、５３はフレームであり、ホッパ部４の壁面を構成するものである。このフレーム５３には媒体キャリア５１の媒体さばき板２６が嵌合する孔が設けられ、媒体さばき板２６を突出させ、その孔に嵌合させることにより媒体キャリア５１を繰出された媒体を受取る位置に固定することができる。
【００５８】
５４は媒体押さえＡであり、ホッパ部４側の媒体カセット２の側面を形成する媒体カセットフレーム２１の上部に備えられた板状のものである。
５７は媒体押さえＢであり、ホッパ部４側と反対側の媒体カセット２の側面を形成する媒体カセットフレーム２１の上部に備えられた板状のものである。
５５は媒体背押し板Ａ、５６は媒体背押し板Ｂであり、媒体カセット２の底面を形成するとともに図示しない昇降機構により上下動可能に構成されたものである。この媒体背押し板Ａ５５および媒体背押し板Ｂ５６を上昇させて媒体背押し板Ａ５５および媒体背押し板Ｂ５６上に収納された媒体２０を媒体背押し板Ａ５５と媒体押さえＡ５４、媒体背押し板Ｂ５６と媒体押さえＢ５７で挟持する。
【００５９】
なお、この媒体背押し板Ａ５５および媒体背押し板Ｂ５６は図示しない昇降機構により独立して上下動可能に構成されたものとする。
５８は媒体ガイドＡであり、５９は媒体ガイドＢである。こ媒体ガイドＡ５８および媒体ガイドＢ５９で媒体カセット２に収納された媒体２０を固定する。
６０はピッカローラであり、媒体カセット２に収納された媒体２０を繰出すためのローラである。
【００６０】
６１はギアであり、図示しないステッピングモータ等の回転角を制御することができる駆動手段により回転可能に構成されたものである。このギア６１は媒体さばき板２６に設けられたラックに噛合し、駆動手段の駆動を媒体さばき板２６に伝達するものである。
したがって、媒体さばき部２０２により媒体さばき板２６を媒体キャリア５１から突出させることができ、また、媒体キャリア５１内に収めることもできるものとする。
【００６１】
６２は搬送ローラであり、媒体キャリア５１内に設けられた媒体２０を挟持して搬送するためのローラである。
上述した構成の作用について説明する。
図１４の第３の実施例における媒体補充処理を示すフローチャートのＳで表すステップにしたがって説明する。
【００６２】
まず、係員により媒体の補充が行われ、制御部１２が媒体カセット２の押し込みを認識し、媒体カセット２の計数動作を開始する指示を媒体計数部２０１および媒体さばき部２０２へ送信する処理は図３のＳ１ａおよびＳ２ａと同様である。
Ｓ１ｃ：このようにして計数動作を開始する指示を受信した媒体さばき部２０２は媒体キャリア５１を上下動可能にするため、フレーム５３の孔から媒体さばき板２６を外し、また媒体カセット２の収納された媒体２０に当接しないようにさばき板２６の突出量を減らす動作を行う。
【００６３】
Ｓ２ｃ：制御部１２は図示しないセンサにより媒体キャリア５１がホッパ部４の上端に停止しているか否かを判定する。上端に停止していると判定されると処理をＳ４ｃへ移行し、上端に停止していないと判定されると処理をＳ３ｃへ移行する。
Ｓ３ｃ：上端に停止していないと判定されると媒体さばき部２０２は媒体キャリア５１をホッパ部４の上端まで上昇させる。
【００６４】
Ｓ４ｃ：媒体さばき部２０２は媒体キャリア５１をホッパ部４の上端から下降（往移動）させる。
Ｓ５ｃ：このとき、計数センサ２７ですべてのカセット収納部識別番号４３を読取る。
Ｓ６ｃ：制御部１２は計数センサ２７ですべてのカセット収納部識別番号４３を読取ることができたか否かを判定する。すべてのカセット収納部識別番号４３を読取ることができたと判定されると処理をＳ７ｃへ移行し、カセット収納部識別番号４３を読取ることができなかったと判定されると処理をＳ８ｃへ移行する。
【００６５】
Ｓ７ｃ：すべてのカセット収納部識別番号４３を読取ることができたと判定されると媒体さばき部２０２は媒体キャリア５１をホッパ部４の上端まで上昇（復移動）させて処理をＳ１０ｃへ移行する。
Ｓ８ｃ：一方、カセット収納部識別番号４３を読取ることができなかったと判定されると媒体さばき部２０２は媒体キャリア５１をホッパ部４の上端まで上昇（復移動）させる。
【００６６】
Ｓ９ｃ：このとき、再度、計数センサ２７ですべてのカセット収納部識別番号４３を読取るようにする。
Ｓ１０ｃ：制御部１２は読取ったすべてのカセット収納部識別番号４３をホストサーバ１４へ送信する。ホストサーバ１４は受信したすべてのカセット収納部識別番号４３を確認し、媒体の枚数を計数し、その枚数を登録することの可否、すなわち、媒体の計数動作の可否を媒体処理装置１へ送信する。ここで、媒体の計数動作を不可とするのは媒体のさばき動作を極力少なくし、媒体の損傷を防止するためである。
【００６７】
Ｓ１１ｃ：媒体処理装置１の制御部１２は受信した登録の可否が否である場合、係員の介入を待機し、一方、可である場合、処理をＳ１２ｃへ移行する。
Ｓ１２ｃ：登録が可能であることを受信するとカセット収納部３、媒体計数部２０１および媒体さばき部２０２は媒体カセット２の媒体２０をさばく動作および計数する動作を行う。なお、本動作は媒体カセット２が複数装着されている場合はすべての媒体カセット２について行う。
【００６８】
カセット収納部３は媒体背押し板Ａ５５および媒体背押し板Ｂ５６を図示しない昇降機構により上昇させて媒体背押し板Ａ５５および媒体背押し板Ｂ５６上に載置された媒体２０を媒体背押し板Ａ５５と媒体押さえＡ５４、媒体背押し板Ｂ５６と媒体押さえＢ５７で挟持する。なお、昇降機構は、媒体背押し板Ｂ５６に載置された媒体２０が媒体押さえＢ５７に当接すると図示しないトルクリミッタ機構やクラッチ機構等により上昇動作が抑制されるように構成されているものとする。
【００６９】
Ｓ１３ｃ：媒体２０を媒体背押し板Ｂ５６と媒体押さえＢ５７で挟持するとカセット収納部３は媒体背押し板Ａ５５を図示しない昇降機構により下降させて媒体２０の媒体背押し板Ａ５５側の端部を湾曲させ、その端部に段差を形成させる。
Ｓ１４ｃ：媒体２０の端部に段差を形成させると媒体さばき部２０２は図１５に示すように媒体さばき板２６を媒体２０に当接するように（所定量）突出させる。
【００７０】
Ｓ１５ｃ：媒体さばき板２６を突出させると媒体キャリア５１を図示しない昇降機構により下降（往移動）させる。媒体キャリア５１に備えられた媒体さばき板２６は段差が形成された媒体２０の端部に当接し、積層された媒体２０間に空間を形成させることにより媒体２０のさばき動作を行う。
Ｓ１６ｃ：また、媒体さばき板２６でさばかれた媒体２０の端部を計数センサ２７で検知し、媒体計数部２０１は媒体２０の枚数を計数する。
【００７１】
この媒体２０をさばく動作および計数する動作をすべての媒体カセット２で行う。
Ｓ１７ｃ：媒体２０をさばく動作および計数する動作を行うと制御部１２は図５に示す媒体計数結果画面３０を操作表示部１０に表示する。
係員はこの媒体計数結果画面３０の表示内容を確認し、正しく媒体２０が媒体カセット２に補充されたことが確認できると登録キーを押下し、正しく媒体２０が媒体カセット２に補充されたことが確認できないとき取消キーを押下するものとする。
【００７２】
Ｓ１８ｃ：操作表示部１０が登録キーの押下を検知すると処理をＳ１９ｃへ移行し、一方、取消キーの押下を検知すると媒体２０の再補充等の係員の介入を待つ。
Ｓ１９ｃ：登録キーの押下を検知すると制御部１２は各媒体カセット２に収納された媒体の枚数を示す格納媒体枚数をホストサーバ１４へ送信する。
Ｓ２０ｃ：ホストサーバ１４は各媒体カセット２に収納された媒体２０を発行等する毎にその格納媒体枚数を更新するものとする。なお、この格納媒体枚数はホストサーバ１４でなく媒体処理装置１の記憶部１１に記憶させ管理するようにしてもよい。
【００７３】
このようにして媒体補充処理を行う。
なお、上述した媒体補充処理の他に、指定時刻になると媒体カセット２に収納された媒体２０をさばく動作および計数する自動計数処理を行なうようにしてもよいのは第１の実施例と同様である。
以上説明したように、第３の実施例では、第１および第２の実施例の効果に加え、すべての媒体カセットに対してひとつの媒体計数部および媒体さばき部を備えるようにしたため、さらに装置の部品点数やコストを低減させることができるという効果が得られる。
【００７４】
また、媒体の繰出し側をさばくようにしたので媒体サイズに影響されず媒体さばき板の突出量を一定にすることができ、また、計数センサと媒体の距離を一定にすることができ、媒体をさばく動作および計数する動作を確実に行なうことができるという効果が得られる。
【図面の簡単な説明】
【００７５】
【図１】第１の実施例における媒体カセットの側面図
【図２】第１の実施例における媒体処理装置の概略構成を示すブロック図
【図３】第１の実施例における媒体補充処理を示すフローチャート
【図４】第１の実施例における媒体計数動作を示す説明図
【図５】第１の実施例における媒体計数結果画面の説明図
【図６】第１の実施例における媒体計数不一致画面の説明図
【図７】第２の実施例における媒体処理装置の概略構成を示すブロック図
【図８】第２の実施例における媒体補充処理を示すフローチャート
【図９】第２の実施例における媒体計数動作を示す説明図
【図１０】第３の実施例における媒体処理装置の概略構成を示すブロック図
【図１１】第３の実施例における媒体カセットの側面図
【図１２】第３の実施例における媒体カセットの上面図
【図１３】第３の実施例における媒体キャリアの上面図
【図１４】第３の実施例における媒体補充処理を示すフローチャート
【図１５】第３の実施例における媒体計数動作を示す説明図
【符号の説明】
【００７６】
１    媒体処理装置
２    媒体カセット
３    カセット収納部
４    ホッパ部
５    媒体搬送路
６    媒体処理部
７    スタック部
８    リジェクト部
１０  操作表示部
１１  記憶部
１２  制御部
１３  通信回線
１４  ホストサーバ
２２  媒体押さえ
２３、５５  媒体背押し板Ａ
２４、５６  媒体背押し板Ｂ
２５、４２  さばき計数部材
２６、５２  媒体さばき板
２７  計数センサ
４１  さばき計数部材搬送路
４３  カセット収納部識別番号
５１  媒体キャリア
５３  フレーム
５４  媒体押さえＡ
５７  媒体押さえＢ
５８  媒体ガイドＡ
５９  媒体ガイドＢ
【図１】
2007257064.tif 000003
【図２】
2007257064.tif 000004
【図３】
2007257064.tif 000005
【図４】
2007257064.tif 000006
【図５】
2007257064.tif 000007
【図６】
2007257064.tif 000008
【図７】
2007257064.tif 000009
【図８】
2007257064.tif 000010
【図９】
2007257064.tif 000011
【図１０】
2007257064.tif 000012
【図１１】
2007257064.tif 000013
【図１２】
2007257064.tif 000014
【図１３】
2007257064.tif 000015
【図１４】
2007257064.tif 000016
【図１５】
2007257064.tif 000017